(57)【要約】【課題】シャープペンシル用の芯４を収納する替芯ケースにおいて、本体１を指で保持した時に滑ることなくしっかり保持して蓋体２の開閉操作が行えるので、開閉操作を容易に行うことができる。また、替芯ケースを床等に落下させても、軟質部材３で衝撃を吸収するので、収納されている芯４が折損する恐れもない。このような利点を有する替芯ケースを提供する。【解決手段】替芯ケースの本体１を合成樹脂で形成し、この本体１の表面の一部又は全部に軟質部材３を取り付ける。【選択図】        図１
2006043973.tif 000002
【特許請求の範囲】
【請求項１】
シャープペンシル用の芯を収納する替芯ケースにおいて、合成樹脂製の本体の表面の一部又は全部に軟質部材を取り付けたことを特徴とする替芯ケース。
【請求項２】
円筒形の本体に細径部を形成し、この細径部に筒状の軟質部材を取り付けたことを特徴とする請求項１記載の替芯ケース。
【請求項３】
円筒形の本体の下部に口金等の部品を着脱可能に取り付け、前記部品と本体の段部により軟質部材を挟持して取り付けたことを特徴とする請求項２記載の替芯ケース。
【請求項４】
本体にインサート成形あるいは２色成形により軟質部材を取り付けたことを特徴とする請求項１又は２記載の替芯ケース。
【発明の詳細な説明】
【技術分野】
【０００１】
本発明は、シャープペンシル用の芯を収納した替芯ケースに関する。
【背景技術】
【０００２】
従来、シャープペンシル用の芯を収納した替芯ケースは、内部の芯を目視するために透明性がある合成樹脂で本体を形成するものがほとんどであった。（特許文献１参照）
【特許文献１】特開平２００１−１６２９８３号公報（段落００２１）
【発明の開示】
【発明が解決しようとする課題】
【０００３】
本体を合成樹脂で形成したものは、芯出口を開閉するために蓋体を外したり回動する時、本体を保持する指が滑り易く非常に操作しにくいものであった。また、替芯ケースを落とした場合には衝撃が大きく収納されている芯を折損する恐れがあった。
【課題を解決するための手段】
【０００４】
本発明は、シャープペンシル用の芯を収納する替芯ケースにおいて、合成樹脂製の本体の表面の一部又は全部に軟質部材を取り付けたことを第１の要旨とする。
【０００５】
また、円筒形の本体に細径部を形成し、この細径部に筒状の軟質部材を取り付けたことを第２の要旨とする。
【０００６】
更に、円筒形の本体の下部に口金等の部品を着脱可能に取り付け、前記部品と本体の段部により軟質部材を挟持して取り付けたことを第３の要旨とする。
【０００７】
更にまた、本体にインサート成形により軟質部材を取り付けたことを第４の要旨とする。
【発明の効果】
【０００８】
本発明の替芯ケースは、合成樹脂製の本体の表面の一部又は全部に軟質部材を取り付けることにより、本体を指でしっかり保持して蓋体の開閉操作が行えるので、操作を容易に行うことができる。また、替芯ケースを落下しても、軟質部材で衝撃を吸収するので、収納された芯を折損する恐れもないという利点がある。
【発明を実施するための最良の形態】
【０００９】
本体の表面の一部又は全部に軟質部材を取り付けることにより、開閉操作が容易に行えるとともに落下した時の衝撃を吸収できる替芯ケースを実現した。
【実施例１】
【００１０】
図１により本発明の実施例１の替芯ケースを説明する。透明の合成樹脂製でかつ断面円形の本体１の下部が密閉されるとともに上端が開口して芯出口１Ａが形成され、この本体１の上部にゴム製の軟質材で形成された蓋体２を、蓋体２の内面に形成した突条２Ａが本体１の上部凹溝１Ｂに係合することにより着脱可能に取り付ける。更に、本体１の下部にゴム製の軟質部材３が、軟質部材３の内面に形成した突条３Ａが本体１の下部凹溝１Ｃに係合して取り付けられる。また、本体１の収納室１Ｄ内にはシャープペンシル用の芯４が収納され替芯ケースが構成される。
【００１１】
この実施例１の替芯ケースは、収納した芯４を取り出す場合に、軟質部材３を保持して蓋体２を外せば、指が滑ることなく容易に蓋体２を外すことができる。また、誤って替芯ケースを床等に落下させた場合でも、蓋体２および軟質部材３が衝撃を吸収するので、芯４を折損する心配もない。
【実施例２】
【００１２】
図２、図３および図４により本発明の実施例２の替芯ケースを説明する。透明合成樹脂製でかつ断面四角形の本体１０１の下部が密閉されるとともに上端が開口して芯出口１０１Ａが形成される。この本体１０１の左側および右側の側面１０１Ｅおよび角部、更に下部を覆うようにゴム製の軟質部材１０３を２色成形あるいはインサート成形により本体１０１に形成する。更に、本体１０１の上部に合成樹脂製の蓋体１０２を、蓋体１０２の内面に形成した突部１０２Ｂが本体１０１の上部凹溝１０１Ｂに係合することにより着脱可能に取り付ける。この本体１０１の収納室１０１Ｄ内にはシャープペンシル用の芯４が収納されて替芯ケースが構成される。
【００１３】
この実施例２の替芯ケースは、本体１０１に簡単に軟質部材１０３が取り付けられるとともに、本体１０１の前面１０１Ｆおよび後面１０１Ｇの大部分が露出しているので、透明の本体１０１から内部の芯４がはっきり目視できる。また、本体１０１を保持した時は、指に軟質部材１０３が接触するので滑ることなく本体１０１を保持でき、蓋体１０２を容易に外すことができる。更に、替芯ケースを床等に落下させた場合でも軟質部材１０３が衝撃を吸収するので、芯４を折損する心配もない。
【実施例３】
【００１４】
図５、図６、図７、図８、図９および図１０により本発明の実施例３の替芯ケースを説明する。尚、図５の左側を下方とし、右側を上方とする。円筒状の本体２０１の下部に係止内段２０１Ｈを形成するとともに、後部に係止孔２０１Ｉを形成する。更に、本体２０１の前部に細径部２０１Ｊを形成するとともに、後部に隆起部２０１Ｋを形成し、この隆起部２０１Ｋに貫通孔２０１Ｌを形成する。この本体２０１の係止孔２０１Ｉと対向する位置に後端より適宜長手方向前方に伸びて突部２０１Ｍを形成する。また本体２０１の貫通孔２０１Ｌより右に９０度ずれた内面にキー溝２０１Ｎを形成する。固定部材５は、長手方向に並列に切溝５Ａを形成して弾性部５Ｂを構成し、この弾性部５Ｂに前端が傾斜した係止突起５Ｃを形成する。この固定部材５は、下端が開口するとともに上端面５Ｄに芯出口５Ｅを形成し、この上端面５Ｄの略４分の１位の面積でかつ中心から９０度の角度でわずかに凹んだ凹部５Ｆを形成する。また、固定部材５には係止突起５Ｃより右に９０度ずれた位置にキー５Ｇを形成する。
【００１５】
この固定部材５を本体２０１の後端より挿入し、固定部材５のキー５Ｇを本体２０１のキー溝２０１Ｎに係合させるとともに、固定部材５の係止突起５Ｃを本体２０１の係止孔２０１Ｉに嵌合させる。したがって、固定部材５は回動することなく本体２０１に固定されるが、係止突起５Ｃを係止孔２０１Ｉより外せば固定部材５を外すことができる。この固定部材５の後部を本体２０１の後端より突出し、この後部に係合突起５Ｈを形成するとともに、その後方の円周上に凹条５Ｉを形成する。
【００１６】
蓋体２０２は、下端が開口されるとともに上端が閉鎖されて天面２０２Ｃが形成される。この天面２０２Ｃに開口孔２０２Ｄが形成されるとともに、天面２０２Ｃ内側には開口孔２０２Ｄと中心軸を基点として対向する位置に係合突部２０２Ｅを形成する。この蓋体２０２の内面には円周上に伸びた固定突条２０２Ｆを形成する。更に、蓋体２０２の下端部内側に前記開口孔２０２Ｄと中心軸を基点として対向する位置に閉鎖用係合凹部２０２Ｇを形成し、かつ、閉鎖用係合凹部２０２Ｇと左に９０度ずれた位置に開口用係合凹部２０２Ｈを形成する。更に、蓋体２０２の外周面には、開口孔２０２Ｄ側に下端より長手方向に長く伸びた開口用突部２０２Ｉを形成するとともに、開口用突部２０２Ｉと右に９０度ずれた位置に、下端より長手方向に短く伸びた閉鎖用突部２０２Ｊを形成する。
【００１７】
この蓋体２０２を前記固定部材５の後部に被せ、蓋体２０２の固定突条２０２Ｆを固定部材５の凹条５Ｉに係合させる。また、蓋体２０２の閉鎖用係合凹部２０２Ｇを固定部材５の係合突起５Ｈに係合する。すると本体２０１の突部２０１Ｍと蓋体２０２の閉鎖用突部２０２Ｊが合致され、固定部材５の芯出口５Ｅが蓋体２０２の天面２０２Ｃにより閉鎖される。しかも、蓋体２０２の天面２０２Ｃ内側に形成された係合突部２０２Ｅが固定部材５の上端面５Ｄに形成された凹部５Ｆに位置し、しかも係合突部２０２Ｅが凹部５Ｆの左回転方向側の縁５Ｊに当接されて左方向への回転が規制されている。
【００１８】
この本体２０１の細径部２０１Ｊにゴム製の軟質部材２０３を被せる。この軟質部材２０３は円筒形で中間部の外径が両端部より細径に形成されている。更に、本体２０１内にシャープペンシル用の芯４が収納され、この本体２０１の下部貫通孔２０１Ｏを閉鎖するための栓体６が着脱可能に取り付けられる。この栓体６は、上端の栓部６Ａより２つの弾性片６Ｂが下方に伸びて形成され、それぞれの弾性片６Ｂに係止突起６Ｃが形成される。この係止突起６Ｃは上方に行くにしたがって傾斜した斜面が形成されるとともに、更に、下方にストッパー部６Ｄが形成されている。この栓体６が本体２０１の下方より挿入されて、係止突起６Ｃが本体２０１の係止内段２０１Ｈに係止される。したがって、本体２０１の下部貫通孔２０１Ｏが閉鎖されるとともに弾性片６Ｂが本体２０１の下端より適宜突出して取り付けられる。また、栓体６のストッパー部６Ｄが本体２０１の下端に当接される。更に、軟質部材２０３より下方に突出した本体２０１の雄ねじ部２０１Ｐに略円錐状の口金７が着脱可能に螺合される。また、口金７の内段７Ａと本体２０１の下端との間が適宜離間して構成されるとともに、口金７の先端に開口孔７Ｂを形成する。しかも、前記軟質部材２０３は、口金７の後端と本体２０１の段部２０１Ｑの間に挟持される。
【００１９】
上記実施例３の替芯ケースにおいて、芯出口５Ｅを開くためには、左手で軟質部材２０３を保持し、右手で蓋体２０２を右回転させると、蓋体２０２の閉鎖用係合凹部２０２Ｇが固定部材５の係合突起５Ｈより外れ、蓋体２０２の開口用係合凹部２０２Ｈが固定部材５の係合突起５Ｈに係合される。また、蓋体２０２の係合突部２０２Ｅが固定部材５の凹部５Ｆの右回転方向側の縁５Ｋに当接して蓋体２０２の右回転が止められる。すると、本体２０１の突部２０１Ｍと蓋体２０２の開口用突部２０２Ｉが合致し、固定部材５の芯出口５Ｅと蓋体２０２の開口孔２０２Ｄが合わされて芯出口５Ｅが開口され、図１１、図１２、図１３および図１４に示した状態となる。尚、使用者は芯出口５Ｅを覗き込んで確認しなくても、本体２０１の突部２０１Ｍと蓋体２０２の開口用突部２０２Ｉが合致した状態を見れば芯出口５Ｅが開口している事が判断できる。この状態で替芯ケースの芯出口５Ｅを下に向ければ、数本の芯４が落下して芯出口５Ｅより取り出せる。
【００２０】
次に、替芯ケースの芯出口５Ｅを上に向けた後、左手で軟質部材２０３を保持し、右手で蓋体２０２を左に回転すれば、蓋体２０２の開口用係合凹部２０２Ｈが固定部材５の係合突起５Ｈより外れ、蓋体２０２の閉鎖用係合凹部２０２Ｇが固定部材５の係合突起５Ｈに係合される。また、蓋体２０２の係合突部２０２Ｅが固定部材５の凹部５Ｆの左回転方向側の縁５Ｊに当接して蓋体２０２の左回転が止められる。すると、本体２０１の突部２０１Ｍと蓋体２０２の閉鎖用突部２０２Ｊが合致し、固定部材５の芯出口５Ｅが蓋体２０２の天面２０２Ｃによって閉じられ、図１、図２、図３、図４、図５、図６、図７、図８、図９および図１０に示した状態に復帰する。尚、使用者は芯出口５Ｅを覗き込んで確認しなくても、本体２０１の突部２０１Ｍと蓋体２０２の閉鎖用突部２０２Ｊが合致した状態を見れば芯出口５Ｅが閉鎖されている事が判断できる。
【００２１】
尚、上記実施例３の替芯ケースは、収納された芯４が使い終わった場合には、本体２０１から口金７を外した後、栓体６の弾性片６Ｂを内方に撓ませて、係止突起６Ｃを本体２０１の係止内段２０１Ｈから外し、本体２０１から栓体６を取り出す。また、本体２０１の係止孔２０１Ｉに嵌合された固定部材５の係止突起５Ｃを外方から押圧して外し、固定部材５を本体２０１から後方に取り出す。蓋体２０２も固体部材５に取り付けられた状態で本体２０１から外される。
【００２２】
次に、チャック８、締リング９、ワッシャー１０、芯タンク１１およびスプリング１２からなる機構部を本体２０１の前方より挿入する。また、口金７内に芯ガイド１３および芯ガイド１３に固定された合成樹脂製の芯ホルダー１４を挿入し、口金７の開口孔７Ｂより芯ガイド１３が突出するとともに、芯ホルダー１４が口金７の内面に適度の摩擦抵抗で嵌合される。尚、この芯ホルダー１４は芯４とも適度の摩擦抵抗で接触する。尚、図示していないが芯ホルダーはゴムで構成しても良い。この口金７を前記本体２０１の雄ねじ部２０１Ｐに螺合し、口金７の内段７Ａと本体２０１の下端によりワッシャー１０を挟持する。更に、芯タンク１１の後部にノブ１５を着脱可能に嵌合する。このノブ１５は本体２０１の後端より適宜突出させる。すると、図１５に示したノック式シャープペンシルとなり、替芯ケースの本体２０１と軟質部材２０３がリサイクル利用できる。
【００２３】
このノック式シャープペンシルは、本体２０１の後端より突出したノブ１５を押圧することによりチャック８が前進して芯４が繰り出される。また、芯タンク１１内に芯４を挿入する場合にはノブ１５を外して芯タンク１１の後端より芯４を挿入する。
【００２４】
また、本体２０１に形成された隆起部２０１Ｋの貫通孔２０１Ｌは、チェーンや紐を取り付けることによりキーホルダーや携帯電話用ストラップとして利用する為のものである。
【００２５】
更に、本体２０１の細径部２０１Ｊに被せられる軟質部材２０３を透明性を有するように構成すれば、本体２０１の細径部２０１Ｊと軟質部材２０３の間にシール等の加飾物を取り付けることも可能である。
【産業上の利用可能性】
【００２６】
操作が容易に行えるとともに、落下しても軟質部材で衝撃を吸収するので収納された芯を折損する恐れがない替芯ケースに適用できる。
【図面の簡単な説明】
【００２７】
【図１】本発明の実施例１の替芯ケースを示す縦断面図である。（実施例１）
【図２】本発明の実施例２の替芯ケースを示す正面図である。（実施例２）
【図３】本発明の実施例２の替芯ケースを示す縦断面図である。（実施例２）
【図４】図３のＡ−Ａ線を示す断面図である。（実施例２）
【図５】本発明の実施例３の替芯ケースにおいて芯出口を閉じた状態を示す縦断面図である。（実施例３）
【図６】本発明の実施例３の替芯ケースを示す主要部正面図である。（実施例３）
【図７】図５のＡ−Ａ線を示す断面図である。（実施例３）
【図８】図５のＢ−Ｂ線を示す断面図である。（実施例３）
【図９】図５のＣ−Ｃ線を示す断面図である。（実施例３）
【図１０】図９のＤ−Ｄ線を示す断面図である。（実施例３）
【図１１】本発明の実施例３の替芯ケースにおいて芯出口を開いた状態を示す主要部正面図である。（実施例３）
【図１２】図１１のＥ−Ｅ線を示す主要部断面図である。（実施例３）
【図１３】図１２のＦ−Ｆ線を示す断面図である。（実施例３）
【図１４】図１２のＧ−Ｇ線を示す断面図である。（実施例３）
【図１５】本発明の替芯ケースをノック式シャープペンシルに利用した状態を示す縦断面図である。（実施例３）
【符号の説明】
【００２８】
１  本体
３  軟質部材
４  芯
１０１  本体
１０３  軟質部材
２０１  本体
２０１Ｊ  本体２０１の細径部
２０３  軟質部材
【図１】
2006043973.tif 000003
【図２】
2006043973.tif 000004
【図３】
2006043973.tif 000005
【図４】
2006043973.tif 000006
【図５】
2006043973.tif 000007
【図６】
2006043973.tif 000008
【図７】
2006043973.tif 000009
【図８】
2006043973.tif 000010
【図９】
2006043973.tif 000011
【図１０】
2006043973.tif 000012
【図１１】
2006043973.tif 000013
【図１２】
2006043973.tif 000014
【図１３】
2006043973.tif 000015
【図１４】
2006043973.tif 000016
【図１５】
2006043973.tif 000017